(57)【特許請求の範囲】
【請求項１】
光を発生する複数の光源と、
前記各光源から発生した光を検出して各々の光信号を発生させる検出部と、
前記光信号をデジタル信号に変換するＡ／Ｄ変換器と、
前記デジタル信号に変換された光信号の入力を受け光源色座標を計算する演算部と、
前記光源色座標と、ｘｙ色度図において、その座標を結ぶ三角形がＣＩＥ色空間に含まれ、且つ、ＡｄｏｂｅＲＧＢ色空間を含むように定義する所定の色相基準座標とを比較し、前記光源色座標が所定の基準領域内に存在しているか否かを判断する比較部と、
前記比較部から出力された判断結果に基づいて前記光源色座標が前記所定の基準領域内に存在するように前記光源に供給されるパルス幅変調（ＰＷＭ）信号を制御する制御部とを有し、
前記色相基準座標は、第１色相基準座標と第２色相基準座標と第３色相基準座標とを含み、
前記光源色座標は、第１色相光源色座標と第２色相光源色座標と第３色相光源色座標とを含み、
前記比較部は、前記第１色相基準座標と前記第２色相基準座標と前記第３色相基準座標とを頂点とする三角形で、各々の頂点とそこを通る２辺からの延長線との間の領域である第１光源領域と第２光源領域と第３光源領域とに、前記第１色相光源色座標と前記第２色相光源色座標と前記第３色相光源色座標とが各々位置しているのか否かを判断し、
前記比較部は、前記第１色相基準座標と前記第２色相基準座標とを通る第１直線の方程式と、前記第１色相基準座標と前記第２色相光源色座標とを通る第２直線の方程式と、前記第１色相光源色座標と前記第２色相基準座標とを通る第３直線の方程式とを求め、前記第１直線の方程式のｙ切片が、前記第２直線の方程式のｙ切片と前記第３直線の方程式のｙ切片との間に位置し、且つ、
前記第１色相基準座標と前記第３色相基準座標とを通る第４直線の方程式と、前記第１色相基準座標と前記第３色相光源色座標とを通る第５直線の方程式と、前記第１色相光源色座標と前記第３色相基準座標とを通る第６直線の方程式とを求め、前記第４直線の方程式のｙ切片が、前記第５直線の方程式のｙ切片と前記第６直線の方程式のｙ切片との間に位置し、且つ、
前記第２色相基準座標と前記第３色相基準座標とを通る第７直線の方程式と、前記第２色相基準座標と前記第３色相光源色座標とを通る第８直線の方程式と、前記第２色相光源色座標と前記第３色相基準座標とを通る第９直線の方程式とを求め、前記第７直線の方程式のｙ切片が、前記第８直線の方程式のｙ切片と前記第９直線の方程式のｙ切片との間に位置しているかどうかを判断し、
前記制御部は、前記第２直線の方程式のｙ切片の値及び前記第３直線の方程式のｙ切片の値が所定の許容値の範囲内に存在するように前記パルス幅変調信号を制御し、
前記許容値は、前記第１直線の方程式のｙ切片の値の８５％〜１１５％であることを特徴とする光源アセンブリ。
【請求項２】
前記制御部は、前記第１色相光源色座標と前記第２色相光源色座標と前記第３色相光源色座標とが、前記第１光源領域と前記第２光源領域と第３光源領域とに各々位置するように前記パルス幅変調信号を制御することを特徴とする請求項１に記載の光源アセンブリ。
【請求項３】
前記制御部は、前記第１直線の方程式のｙ切片が前記第２直線の方程式のｙ切片と前記第３直線の方程式のｙ切片との間に位置するように前記パルス幅変調信号を制御することを特徴とする請求項１に記載の光源アセンブリ。
【請求項４】
前記第１色相基準座標、前記第２色相基準座標、及び前記第３色相基準座標は、各々赤色基準座標、青色基準座標、及び緑色基準座標であり、前記第１色相光源色座標、前記第２色相光源色座標、及び前記第３光源色座標は、各々赤色光源色座標、青色光源色座標、及び緑色光源色座標であることを特徴とする請求項１に記載の光源アセンブリ。
【請求項５】
前記制御部は、前記パルス幅変調信号のデューティ比を調節して前記光源色座標を移動させることを特徴とする請求項１に記載の光源アセンブリ。
【請求項６】
前記光源は、発光ダイオードであることを特徴とする請求項１に記載の光源アセンブリ。
【請求項７】
前記光源は、赤色光、緑色光及び青色光を発生させるレーザ光源であることを特徴とする請求項１に記載の光源アセンブリ。
【請求項８】
赤色フィルタと、緑色フィルタと、青色フィルタとを含む色フィルタと、
赤色光、緑色光及び青色光を混合して白色光を発生させ、前記色フィルタに放射する光源アセンブリとを有し、
前記光源アセンブリは、メインピークが６２０〜６３０ｎｍであり、スペクトルの半値全幅（ＦＷＨＭ）が１５ｎｍ以下である波長を有する赤色光を放射する赤色光源と、
メインピークが５２５〜５３５ｎｍであり、スペクトルの半値全幅が３０ｎｍ以下である波長を有する緑色光を放射する緑色光源と、
メインピークが４４５〜４５５ｎｍであり、スペクトルの半値全幅が１９ｎｍ以下である波長を有する青色光を放射する青色光源と、
前記各光源から発生した光を検出して各々の光信号を発生させる検出部と、
前記光信号をデジタル信号に変換するＡ／Ｄ変換器と、
前記デジタル信号に変換された光信号の入力を受け光源色座標を計算する演算部と、
前記光源色座標と、ｘｙ色度図において、その座標を結ぶ三角形がＣＩＥ色空間に含まれ、且つ、ＡｄｏｂｅＲＧＢ色空間を含むように定義する所定の色相基準座標とを比較し、前記光源色座標が所定の基準領域内に存在しているか否かを判断する比較部と、
前記比較部から出力された判断結果に基づいて前記光源色座標が前記所定の基準領域内に存在するように前記光源に供給されるパルス幅変調（ＰＷＭ）信号を制御する制御部とを有し、
前記色相基準座標は、赤色基準座標と青色基準座標と緑色基準座標とを含み、
前記光源色座標は、赤色光源色座標と青色光源色座標と緑色光源色座標とを含み、
前記比較部は、前記赤色基準座標と前記青色基準座標と前記緑色基準座標とを頂点とする三角形で、各々の頂点とそこを通る２辺からの延長線との間の領域である第１光源領域と第２光源領域と第３光源領域とに、前記赤色光源色座標と前記青色光源色座標と前記緑色光源色座標とが各々位置しているのか否かを判断し、
前記比較部は、前記赤色基準座標と前記青色基準座標とを通る第１直線の方程式と、前記赤色基準座標と前記青色光源色座標とを通る第２直線の方程式と、前記赤色光源色座標と前記青色基準座標とを通る第３直線の方程式とを求め、前記第１直線の方程式のｙ切片が、前記第２直線の方程式のｙ切片と前記第３直線の方程式のｙ切片との間に位置し、且つ、
前記赤色基準座標と前記緑色基準座標とを通る第４直線の方程式と、前記赤色基準座標と前記緑色光源色座標とを通る第５直線の方程式と、前記赤色光源色座標と前記緑色基準座標とを通る第６直線の方程式とを求め、前記第４直線の方程式のｙ切片が、前記第５直線の方程式のｙ切片と前記第６直線の方程式のｙ切片との間に位置し、且つ、
前記青色基準座標と前記緑色基準座標とを通る第７直線の方程式と、前記青色基準座標と前記緑色光源色座標とを通る第８直線の方程式と、前記青色光源色座標と前記緑色基準座標とを通る第９直線の方程式とを求め、前記第７直線の方程式のｙ切片が、前記第８直線の方程式のｙ切片と前記第９直線の方程式のｙ切片との間に位置しているかどうかを判断し、
前記制御部は、前記第２直線の方程式のｙ切片の値及び前記第３直線の方程式のｙ切片の値が所定の許容値の範囲内に存在するように前記パルス幅変調信号を制御し、
前記許容値は、前記第１直線の方程式のｙ切片の値の８５％〜１１５％であることを特徴とする液晶表示装置。
【請求項９】
前記緑色フィルタの透過スペクトルはメインピークが５１５〜５１９ｎｍであることを特徴とする請求項８に記載の液晶表示装置。
【請求項１０】
前記青色フィルタの透過スペクトルはメインピークが４６０ｎｍ以下であることを特徴とする請求項８に記載の液晶表示装置。
【請求項１１】
前記青色フィルタと前記緑色フィルタの透過スペクトルの透過率の比（Ｂ／Ｇ）は、８．４×１０−４／１．１×１０−３より小さいことを特徴とする請求項８に記載の液晶表示装置。
【請求項１２】
前記白色光の色温度は、５０００〜７０００Ｋであることを特徴とする請求項８に記載の液晶表示装置。
【発明の詳細な説明】
【技術分野】
【０００１】
本発明は光源アセンブリ及びそれを有する液晶表示装置に関し、より詳細には表示できる色相の領域を拡大し、自然に存在する色相とより一層近い色相を表現できる光源アセンブリ及びそれを有する液晶表示装置に関するものである。
【背景技術】
【０００２】
現代社会が高度の情報及びコミュニケーション技術に依存するにつれ表示装置は大型化及び薄型化に対する市場の要求に直面しており、従来のＣＲＴ（Ｃａｔｈｏｄｅ−ｒａｙ  ｔｕｂｅ）装置ではこのような要求を十分に満足させることができないことによってＰＤＰ（Ｐｌａｓｍａ  Ｄｉｓｐｌａｙ  Ｐａｎｅｌ）装置、ＰＡＬＣ（Ｐｌａｓｍａ  Ａｄｄｒｅｓｓ  Ｌｉｑｕｉｄ  Ｃｒｙｓｔａｌ  ｄｉｓｐｌａｙ  ｐａｎｅｌ）装置、ＬＣＤ（Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などに代表されるフラットパネル表示装置に対する需要が爆発的に増えている。
【０００３】
一般的に標準モニタは（ｓＲＧＢ）規格の色空間を標準と規定しているが、（ｓＲＧＢ）規格の色空間は実際色相の一部分だけを表示することができる。そのため、（ｓＲＧＢ）規格に従う標準モニタは表示できない色相の領域が存在する。
最近デジタルカメラなどの装置はすでに（ｓＲＧＢ）規格の色空間を超過する色相を撮影できるほど発展している。このようなデジタルカメラで撮影した画像を（ｓＲＧＢ）規格に従う標準モニタで表示する場合、デジタルカメラが認識する色相を正確に表現することができなくなる。したがって、（Ａｄｏｂｅ  ＲＧＢ）規格のような（ｓＲＧＢ）領域よりさらに広い色空間を表示できるモニタが必要である。
【０００４】
高色再現の特性を有する液晶表示装置を得るためには色フィルタと光源がすべて広い色空間を表現できなければならない。したがって、光源と色フィルタの特性を最適化して色空間を拡大できる液晶表示装置が要求される（例えば、特許文献１参照）という問題がある。
【０００５】
また、液晶表示装置を長時間駆動する場合、光源又は色フィルタの特性が変化する可能性があるため、常に最適化された色空間を表現できるようにリアルタイムで特性を補正する必要があるという問題がある。
【０００６】
【特許文献１】大韓民国特許公開２００６−００８３９５４号公報
【発明の開示】
【発明が解決しようとする課題】
【０００７】
そこで、本発明は上記従来の液晶表示装置における問題点に鑑みてなされたものであって、本発明の目的は、表示できる色相の領域を拡大し、自然に存在する色相とより一層近い色相を表現できる光源アセンブリを提供することにある。
【０００８】
また、本発明の他の目的は、表示できる色相の領域を拡大し、自然に存在する色相とより一層近い色相を表現できる液晶表示装置を提供することにある。
【課題を解決するための手段】
【０００９】
上記目的を達成するためになされた本発明による光源アセンブリは、光を発生する複数の光源と、前記各光源から発生した光を検出して各々の光信号を発生させる検出部と、前記光信号をデジタル信号に変換するＡ／Ｄ変換器と、前記デジタル信号に変換された光信号の入力を受け光源色座標を計算する演算部と、前記光源色座標と、ｘｙ色度図において、その座標を結ぶ三角形がＣＩＥ色空間に含まれ、且つ、ＡｄｏｂｅＲＧＢ色空間を含むように定義する所定の色相基準座標とを比較し、前記光源色座標が所定の基準領域内に存在しているか否かを判断する比較部と、前記比較部から出力された判断結果に基づいて前記光源色座標が前記所定の基準領域内に存在するように前記光源に供給されるパルス幅変調（ＰＷＭ）信号を制御する制御部とを有し、前記色相基準座標は、第１色相基準座標と第２色相基準座標と第３色相基準座標とを含み、前記光源色座標は、第１色相光源色座標と第２色相光源色座標と第３色相光源色座標とを含み、前記比較部は、前記第１色相基準座標と前記第２色相基準座標と前記第３色相基準座標とを頂点とする三角形で、各々の頂点とそこを通る２辺からの延長線との間の領域である第１光源領域と第２光源領域と第３光源領域とに、前記第１色相光源色座標と前記第２色相光源色座標と前記第３色相光源色座標とが各々位置しているのか否かを判断し、前記比較部は、前記第１色相基準座標と前記第２色相基準座標とを通る第１直線の方程式と、前記第１色相基準座標と前記第２色相光源色座標とを通る第２直線の方程式と、前記第１色相光源色座標と前記第２色相基準座標とを通る第３直線の方程式とを求め、前記第１直線の方程式のｙ切片が、前記第２直線の方程式のｙ切片と前記第３直線の方程式のｙ切片との間に位置し、且つ、前記第１色相基準座標と前記第３色相基準座標とを通る第４直線の方程式と、前記第１色相基準座標と前記第３色相光源色座標とを通る第５直線の方程式と、前記第１色相光源色座標と前記第３色相基準座標とを通る第６直線の方程式とを求め、前記第４直線の方程式のｙ切片が、前記第５直線の方程式のｙ切片と前記第６直線の方程式のｙ切片との間に位置し、且つ、前記第２色相基準座標と前記第３色相基準座標とを通る第７直線の方程式と、前記第２色相基準座標と前記第３色相光源色座標とを通る第８直線の方程式と、前記第２色相光源色座標と前記第３色相基準座標とを通る第９直線の方程式とを求め、前記第７直線の方程式のｙ切片が、前記第８直線の方程式のｙ切片と前記第９直線の方程式のｙ切片との間に位置しているかどうかを判断し、前記制御部は、前記第２直線の方程式のｙ切片の値及び前記第３直線の方程式のｙ切片の値が所定の許容値の範囲内に存在するように前記パルス幅変調信号を制御し、前記許容値は、前記第１直線の方程式のｙ切片の値の８５％〜１１５％であることを特徴とする。
【００１０】
上記目的を達成するためになされた本発明による液晶表示装置は、赤色フィルタと、緑色フィルタと、青色フィルタとを含む色フィルタと、赤色光、緑色光及び青色光を混合して白色光を発生させ、前記色フィルタに放射する光源アセンブリとを有し、前記光源アセンブリは、メインピークが６２０〜６３０ｎｍであり、スペクトルの半値全幅（ＦＷＨＭ）が１５ｎｍ以下である波長を有する赤色光を放射する赤色光源と、メインピークが５２５〜５３５ｎｍであり、スペクトルの半値全幅が３０ｎｍ以下である波長を有する緑色光を放射する緑色光源と、メインピークが４４５〜４５５ｎｍであり、スペクトルの半値全幅が１９ｎｍ以下である波長を有する青色光を放射する青色光源と、前記各光源から発生した光を検出して各々の光信号を発生させる検出部と、前記光信号をデジタル信号に変換するＡ／Ｄ変換器と、前記デジタル信号に変換された光信号の入力を受け光源色座標を計算する演算部と、前記光源色座標と、ｘｙ色度図において、その座標を結ぶ三角形がＣＩＥ色空間に含まれ、且つ、ＡｄｏｂｅＲＧＢ色空間を含むように定義する所定の色相基準座標とを比較し、前記光源色座標が所定の基準領域内に存在しているか否かを判断する比較部と、前記比較部から出力された判断結果に基づいて前記光源色座標が前記所定の基準領域内に存在するように前記光源に供給されるパルス幅変調（ＰＷＭ）信号を制御する制御部とを有し、前記色相基準座標は、赤色基準座標と青色基準座標と緑色基準座標とを含み、前記光源色座標は、赤色光源色座標と青色光源色座標と緑色光源色座標とを含み、前記比較部は、前記赤色基準座標と前記青色基準座標と前記緑色基準座標とを頂点とする三角形で、各々の頂点とそこを通る２辺からの延長線との間の領域である第１光源領域と第２光源領域と第３光源領域とに、前記赤色光源色座標と前記青色光源色座標と前記緑色光源色座標とが各々位置しているのか否かを判断し、前記比較部は、前記赤色基準座標と前記青色基準座標とを通る第１直線の方程式と、前記赤色基準座標と前記青色光源色座標とを通る第２直線の方程式と、前記赤色光源色座標と前記青色基準座標とを通る第３直線の方程式とを求め、前記第１直線の方程式のｙ切片が、前記第２直線の方程式のｙ切片と前記第３直線の方程式のｙ切片との間に位置し、且つ、前記赤色基準座標と前記緑色基準座標とを通る第４直線の方程式と、前記赤色基準座標と前記緑色光源色座標とを通る第５直線の方程式と、前記赤色光源色座標と前記緑色基準座標とを通る第６直線の方程式とを求め、前記第４直線の方程式のｙ切片が、前記第５直線の方程式のｙ切片と前記第６直線の方程式のｙ切片との間に位置し、且つ、前記青色基準座標と前記緑色基準座標とを通る第７直線の方程式と、前記青色基準座標と前記緑色光源色座標とを通る第８直線の方程式と、前記青色光源色座標と前記緑色基準座標とを通る第９直線の方程式とを求め、前記第７直線の方程式のｙ切片が、前記第８直線の方程式のｙ切片と前記第９直線の方程式のｙ切片との間に位置しているかどうかを判断し、前記制御部は、前記第２直線の方程式のｙ切片の値及び前記第３直線の方程式のｙ切片の値が所定の許容値の範囲内に存在するように前記パルス幅変調信号を制御し、前記許容値は、前記第１直線の方程式のｙ切片の値の８５％〜１１５％であることを特徴とする。
【発明の効果】
【００１２】
本発明に係る光源アセンブリ及びそれを有する液晶表示装置によれば、表示できる色相の領域を拡大し、自然に存在する色相とより一層近い色相を表現することができるという効果がある。
【発明を実施するための最良の形態】
【００１３】
次に、本発明に係る光源アセンブリ及びその駆動方法並びにそれを有する液晶表示装置を実施するための最良の形態の具体例を図面を参照しながら説明する。
【００１４】
本発明の利点および特徴、そしてそれらを達成する方法は添付される図面と共に詳細に後述されている実施形態を参照すれば明確になるであろう。しかし本発明は以下で開示される実施形態に限定されるものではなく互いに異なる多様な形態で具現されるものであり、単に本実施形態は本発明の開示が完全なようにし、本発明が属する技術分野で通常の知識を有する者に発明の範疇を完全に知らせるために提供されるものであり、本発明は請求項の範囲によってのみ定義される。
空間的に相対的な用語である“下（ｂｅｌｏｗ）”、“下（ｂｅｎｅａｔｈ）”、“下部（ｌｏｗｅｒ）”、“上（ａｂｏｖｅ）”、“上部（ｕｐｐｅｒ）”等は図面に示しているように一つの素子または構成要素と異なる素子または構成要素との相関関係を容易に記述するために使用され得る。空間的に相対的な用語は図面に図示されている方向に加えて使用時または動作時素子の互いに異なる方向を含む用語として理解されなければならない。明細書全体にかけて同一参照符号は同一構成要素を指称する。
【００１５】
以下、図１及び図２を参照して本発明の一実施形態による液晶表示装置について詳細に説明する。
ここで、図１は本発明の一実施形態による液晶表示装置の分解斜視図であり、図２は図１の液晶表示装置に含まれる色フィルタと光源を示した概略図である。
【００１６】
図１を参照すると、本発明の一実施形態による液晶表示装置１は液晶パネルアセンブリ３０、上部収納容器２０及びバックライトアセンブリ１０を含む。
【００１７】
液晶パネルアセンブリ３０は薄膜トランジスタ表示板３２、共通電極表示板３３及び二つの表示板の間に介在する液晶層（未図示）を含む液晶パネル３１、ゲートチップフィルムパッケージ３５、データチップフィルムパッケージ３４及び集積印刷回路基板３６を含む。
【００１８】
液晶パネル３１は、ゲートライン（未図示）及びデータライン（未図示）と薄膜トランジスタアレイ、画素電極などを含む薄膜トランジスタ表示板３２と、ブラックマトリックス（ｂｌａｃｋ  ｍａｔｒｉｘ）、共通電極などを含み薄膜トランジスタ表示板３２に対向するように配置された共通電極表示板３３を含む。このような液晶パネル１３６は画像情報を表示する役割をする。
【００１９】
そして、ゲートチップフィルムパッケージ３５は薄膜トランジスタ表示板３２に形成された各ゲートライン（未図示）に接続され、データチップフィルムパッケージ３４は薄膜トランジスタ表示板３２に形成された各データライン（未図示）に接続される。ここでゲートチップフィルムパッケージ３５及びデータチップフィルムパッケージ３４は半導体チップがベースフィルム上に形成された配線パターンとタブ（ＴＡＢ；Ｔａｐｅ  Ａｕｔｏｍａｔｅｄ  Ｂｏｎｄｉｎｇ）技術によって接合されたタブテープ（ＴＡＢ  ｔａｐｅ）を含む。例えばこのようなチップフィルムパッケージとしてはテープキャリアパッケージ（Ｔａｐｅ  Ｃａｒｒｉｅｒ  Ｐａｃｋａｇｅ、以下ＴＣＰ）またはチップオンフィルム（Ｃｈｉｐ  Ｏｎ  Ｆｉｌｍ、以下ＣＯＦ）等が使用され得る。ただし、前述したチップフィルムパッケージは例示的なものに過ぎない。
【００２０】
一方、集積印刷回路基板３６には、ゲートチップフィルムパッケージ３５にゲート駆動信号を伝送し、データチップフィルムパッケージ３４にデータ駆動信号を伝送するための様々な駆動用部品が実装される。
【００２１】
上部収納容器２０は、液晶表示装置１の外観を形成し、内部に液晶パネルアセンブリ３０が収納される空間が形成されている。このような上部収納容器２０の中央部には液晶パネル３１を外部に露出させる開放窓が形成されている。
【００２２】
上部収納容器２０は、中間フレーム１１０を間に挟んで下部収納容器１７０と結合される。
バックライトアセンブリ１０は、中間フレーム１１０、光学シート１２０、拡散板１３０、光源アセンブリ１００及び下部収納容器１７０を含む。
【００２３】
中間フレーム１１０は、内部に光学シート１２０、拡散板１３０及び光源アセンブリ１００を収納し、下部収納容器１７０に安着固定される。このような中間フレーム１１０は長方形形状の外周に沿って形成された側壁で構成され、中央部には拡散板１３０及び光学シート１２０を通過した光が透過できるように開放窓を形成する。
【００２４】
光学シート１２０は、拡散板１３０から伝達される光を拡散及び集光する役割をするものであって、拡散板１３０の上部に配置され中間フレーム１１０内部に収納される。このような光学シート１２０は第１プリズムシート、第２プリズムシート、保護シートなどを含む。
【００２５】
第１及び第２プリズムシートは、拡散板１３０を通過した光を屈折させて低い角度から入射する光を液晶パネルアセンブリ３０正面に集中させて有効視野角の範囲内で液晶表示装置１の明るさを向上させる役割をする。
【００２６】
第１及び第２プリズムシートの上に形成される保護シートはプリズムシートの表面を保護する役割をするだけではなく、光の分布を均一にするために光を拡散させる役割もする。このような光学シート１２０の構成は上の例に限定されず、液晶表示装置１の仕様にともない多様に変更され得る。
【００２７】
拡散板１３０は、光源から出た光をすべての方向に拡散させる役割をするものであって、点光源である光源ユニット１５０の形状に伴って明るく表れる輝点を液晶表示装置１の前面から見えないようにする。
【００２８】
光源アセンブリ１００は、拡散板１３０に光を供給する発光装置であり、複数の光源ユニット１５０、回路基板１６０、及び反射シート１４０を含む。各々の光源ユニット１５０は白色光を発生させる最小単位であり、回路基板１６０に接続されて駆動電圧の供給を受ける。このような光源ユニット１５０は回路基板１６０の上部に配置され、その回路基板１６０上部には反射シート１４０が配置され光源ユニット１５０を固定する。
反射シート１４０は、光源ユニット１５０が各々露出する開口部１４１を含み、光源ユニット１５０からの光を上方に通過させ、光源ユニット１５０から下方に放射される光を上方に反射させる。
【００２９】
図２を参照して色フィルタ３００及び光源アセンブリ１００の構造に関して具体的に説明する。
光源アセンブリ１００から発生した光は色フィルタ３００を通って選択的に透過し、画像を表わすようになる。
【００３０】
色フィルタ３００は、各画素ごとに赤色フィルタ（ＣＦ＿Ｒ）、緑色フィルタ（ＣＦ＿Ｇ）、及び青色フィルタ（ＣＦ＿Ｂ）を含んでおり、各画素は所定の複数の領域（ｄｏｍａｉｎ）に分割され、各々赤色光、緑色光及び青色光は領域を選択的に透過する。このような色フィルタ３００は、赤色フィルタ（ＣＦ＿Ｒ）、緑色フィルタ（ＣＦ＿Ｇ）及び青色フィルタ（ＣＦ＿Ｂ）を順序どおり繰り返して一列に配列するストライプ配列方式で形成することができ、また、この他にデルタ配列、モザイク配列などの多様な配列が可能である。
光源アセンブリ１００は、光を発生させて液晶パネルに供給するものであって、赤色光、緑色光及び青色光を混合して白色光を発生させることができる。このような光源アセンブリ１００は、赤色光源チップ（ＬＭ＿Ｒ）、緑色光源チップ（ＬＭ＿Ｇ）及び青色光源チップ（ＬＭ＿Ｂ）を含む。
【００３１】
赤色光源チップ（ＬＭ＿Ｒ）、緑色光源チップ（ＬＭ＿Ｇ）及び青色光源チップ（ＬＭ＿Ｂ）は、各々赤色光、緑色光および青色光を放射し、それぞれの光は混合され、白色光形態で色フィルタ３００に入射される。このような各々の光源チップとしては発光ダイオード、白色発光ダイオード、蛍光ランプ、レーザ光源などが挙げられる。
【００３２】
一方、赤色フィルタ（ＣＦ＿Ｒ）、緑色フィルタ（ＣＦ＿Ｇ）及び青色フィルタ（ＣＦ＿Ｂ）は各々特定の波長だけを選択的に透過する。すなわち、赤色フィルタ（ＣＦ＿Ｒ）は入射される白色光のうち赤色波長に該当する光だけを選択的に透過させ、緑色フィルタ（ＣＦ＿Ｇ）は緑色波長に該当する光だけを選択的に透過させ、青色フィルタ（ＣＦ＿Ｂ）は青色波長に該当する光だけを選択的に透過させる。このような過程を経て赤色フィルタ（ＣＦ＿Ｒ）、緑色フィルタ（ＣＦ＿Ｇ）及び青色フィルタ（ＣＦ＿Ｂ）を透過した光は多様な色相の画像として表示するために適切な比率で混合される。
【００３３】
光源アセンブリ１００から放射される光は赤色光、緑色光及び青色光を有する特定の波長以外の波長を含み得る。また、液晶パネルに表示される画像の輝度を考慮して色フィルタ３００は各色相の波長より多少広い領域を透過させる特性を有するようにしてある。したがって、赤色フィルタ（ＣＦ＿Ｒ）、緑色フィルタ（ＣＦ＿Ｇ）及び青色フィルタ（ＣＦ＿Ｂ）を通過する赤色光、緑色光及び青色光は、純度が低くなる可能性があり、液晶パネルに表示される色空間に影響を与える可能性がある。光源アセンブリ１００で発生する光とこれを透過させる色フィルタ３００との関係にともなう液晶表示装置１の色空間の変化に関する詳細は後述する。
【００３４】
以下、図３〜図１７を参照して、色フィルタ及び光源ユニットの特性に関して具体的に説明する。
【００３５】
図３は、図１の液晶表示装置の色再現範囲（色域）を示すｘｙ色度図である。図３を参照すると、図３は国際照明委員会（Ｃｏｍｍｉｓｓｉｏｎ  Ｉｎｔｅｒｎａｔｉｏｎａｌ  ｄｅ  ｌ’ｅｃｌａｉｒａｇｅ：ＣＩＥ）によって標準化されたＸＹＺ表色系のｘｙ色度図を利用して、本発明による液晶表示装置の色再現範囲と（ｓＲＧＢ）色空間及び（Ａｄｏｂｅ  ＲＧＢ）の範囲を示す。
【００３６】
具体的には、（ＣＩＥ）色空間は国際照明委員会によって定義された色空間領域として自然界のすべての色相を表現した。（ｓＲＧＢ）色空間はヒューレットパッカード社とマイクロソフト社が共同で提案した標準規格として大部分のモニターに適用されている。（Ａｄｏｂｅ  ＲＧＢ）色空間はアドビ社が提案した色空間規格であって、（ｓＲＧＢ）色空間よりさらに豊富な色空間を表現することができる。（ＲＧＢ＿０）領域は本発明による液晶表示装置が表現できる色再現範囲であって、（ｓＲＧＢ）及び（Ａｄｏｂｅ  ＲＧＢ）色空間をすべて含んでおり、（ｓＲＧＢ）及び（Ａｄｏｂｅ  ＲＧＢ）以上の色空間を表現することができる。（ＣＩＥ）色空間を除いた残りの三角形領域は各頂点が赤色、緑色及び青色を示す。
【００３７】
以下、図４を参照して、本発明の一実施形態による色フィルタと各色の光源チップに関して詳細に説明する。
ここで、図４は、図１の液晶表示装置に含まれる色フィルタの分光特性と各色の光源チップのスペクトルの特性を示す図である。
【００３８】
点線（一点鎖線、長点線、短点線）は各々赤色フィルタ（ＣＦ＿Ｒ）、緑色フィルタ（ＣＦ＿Ｇ）及び青色フィルタ（ＣＦ＿Ｂ）の透過曲線を示し、実線は各々赤色光源チップ（ＬＭ＿Ｒ）、緑色光源チップ（ＬＭ＿Ｇ）および青色光源チップ（ＬＭ＿Ｂ）のスペクトル曲線を示す。
【００３９】
具体的には、赤色フィルタ（ＣＦ＿Ｒ）、緑色フィルタ（ＣＦ＿Ｇ）、及び青色フィルタ（ＣＦ＿Ｂ）の透過波長の範囲は各々赤色光源チップＬＭ＿Ｒ、緑色光源チップ（ＬＭ＿Ｇ）及び青色光源チップ（ＬＭ＿Ｂ）の波長範囲より広く形成する。色フィルタ３００の透過波長の範囲を狭く形成する場合、色の純度は高くなり得るが、輝度が低くなるという短所があり、光源の波長範囲より広く形成するのが好ましい。
【００４０】
一方、赤色フィルタ（ＣＦ＿Ｒ）、緑色フィルタ（ＣＦ＿Ｇ）及び青色フィルタ（ＣＦ＿Ｂ）は透過波長の範囲が一部重畳されるのが好ましく、赤色フィルタ（ＣＦ＿Ｒ）及び青色フィルタ（ＣＦ＿Ｂ）に緑色光領域の光が透過することができ、緑色フィルタ（ＣＦ＿Ｇ）に赤色光及び青色光領域の光が透過することができる。このように、色フィルタ３００の隣接した各色の領域の光が透過する場合、色の純度が落ち、言い換えると、液晶表示装置の色再現範囲が減る。したがって、光の輝度を適切に維持しつつ豊富な色相を表現するためには色フィルタ３００の透過特性と光源のスペクトル特性の調節が重要である。
【００４１】
本発明の一実施形態による光源ユニット（１５０、図１参照）は波長のメインピークが６２０〜６３０ｎｍであり、スペクトルの半値全幅（ｆｕｌｌ  ｗｉｄｔｈ  ａｔ  ｈａｌｆ  ｍａｘｉｍｕｍ：ＦＷＨＭ）が１５ｎｍ以下である赤色光を放射する赤色光源チップ（ＬＭ＿Ｒ）、波長のメインピークが５２５〜５３５ｎｍであり、スペクトルの半値全幅が３０ｎｍ以下である緑色光を放射する緑色光源チップ（ＬＭ＿Ｇ）、及び波長のメインピークが４４５〜４５５ｎｍであり、スペクトルの半値全幅が１９ｎｍ以下である青色光を放射する青色光源チップを含む。
【００４２】
一方、色フィルタ３００は波長のメインピークが５１５〜５１９ｎｍである透過スペクトルを有する緑色フィルタ（ＣＦ＿Ｇ）と波長のメインピークが４６０ｎｍ以下の透過スペクトルを有する青色フィルタ（ＣＦ＿Ｂ）を含む。また、青色フィルタ（ＣＦ＿Ｂ）と緑色フィルタ（ＣＦ＿Ｇ）の透過スペクトルの透過率の比（Ｂ／Ｇ）は８．４×１０−４／１．１×１０−３より小さく形成するのが好ましい。
【００４３】
図５を参照して光源ユニットの色再現範囲を詳細に説明する。
図５は、図１の液晶表示装置に含まれる光源ユニットの色再現範囲をｘｙ色度図に示した図である。図５において、色フィルタを通過しない光源ユニット自体の色再現範囲を示している。
【００４４】
次の［表１］は本発明の一実施形態による液晶表示装置に含まれる各光源ユニットの各色の光源チップの比較実験例での各色相別波長を示す。
【表１】
0005600387.tif 000002
【００４５】
図５は［表１］の比較実験例と実験例１及び２の光源ユニットの色再現範囲を含む。［表１］で色再現性とは、ＣＩＥ１７３１表色系を基準にして、米国ＣＲＴモニターの基準であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）の色空間と各実験例の色空間の比率を％で表したものである。
三角形の各頂点は赤色光、緑色光および青色光の座標を意味する。
【００４６】
（ＣＩＥ）色空間は、国際照明委員会が規定した色空間領域であり、（Ａｄｏｂｅ  ＲＧＢ）領域はアドビ社が提案した色空間規約であり、（ＲＧＢ＿ｃ）色空間は［表１］の比較実験例を示した領域であり、（ＲＧＢ＿１）色空間は［表１］の実験例１を示した領域であり、（ＲＧＢ＿２）色空間は［表１］の実験例２を示した領域である。
【００４７】
赤色光及び緑色光は比較実験例と実験例１及び２すべてにおいて（Ａｄｏｂｅ  ＲＧＢ）基準を満足する。しかし、青色光は比較実験例の場合、わずかな差で（Ａｄｏｂｅ  ＲＧＢ）規準を外れているが、実験例１及び２の場合には事実上（Ａｄｏｂｅ  ＲＧＢ）基準を満足する。
【００４８】
図６及び図７を参照し、色フィルタを透過した光の色再現範囲を詳細に説明する。
ここで、図６は、図１の液晶表示装置に含まれる色フィルタを透過した光の波長特性を示すグラフであり、図７は、図１の液晶表示装置に含まれる色フィルタを通過した光の色再現範囲をｘｙ色度図に示した図である。
【００４９】
本発明の一実施形態では色フィルタを通過した光の色再現範囲を拡張するために、青色フィルタ（ＣＦ＿Ｂ）の光透過率を変更する。すなわち、青色フィルタ（ＣＦ＿Ｂ）の透過率を調節することによって、青色フィルタ（ＣＦ＿Ｂ）の半値全幅を減らすことができる。したがって、青色領域と緑色領域が重畳される領域が減少され、結果的に色再現の範囲が広くなるようになる。
【００５０】
図７を参照すると、本発明の一実施形態による液晶表示装置の色再現範囲は実質的に（Ａｄｏｂｅ  ＲＧＢ）色空間をすべて含むようになる。
【００５１】
赤色光及び緑色光の場合、本発明の液晶表示装置の色再現範囲が（Ａｄｏｂｅ  ＲＧＢ）の色空間に比べて顕著に優秀であり、青色光の場合、実質的に（Ａｄｏｂｅ  ＲＧＢ）の色空間と一致する。
図７において（ＣＩＥ’）色空間は国際照明委員会が規定した色空間領域であり、（Ａｄｏｂｅ  ＲＧＢ’）色空間はアドビ社が提案した色空間規約であり、（ＲＧＢ＿ｓ’）色空間は［表１］の比較実施形態の光源に本発明による色フィルタを適用した色再現範囲を示し、（ＲＧＢ＿１’）色空間は［表１］の実験例１の光源に本発明による色フィルタを適用した色再現範囲を示し、１１１．２％の色再現性を示す。また、（ＲＧＢ＿２’）色空間は［表１］の実験例２の光源に本発明による色フィルタを適用した色再現範囲であり、１１１．３２％の色再現性を示す。一方、図７は色温度６５００Ｋである時の結果を示したのである。
【００５２】
次に、図８〜図１１を参照して、色温度変化にともなう光源ユニットの色再現範囲を説明する。
ここで、図８は色温度変化にともなう光源ユニットの色再現範囲をｘｙ色度図（ＣＩＥ１９３１）に示した図面であり、図９は図８のＡ領域を拡大した図面であり、図１０は色温度変化にともなう光源ユニットの色再現範囲をｘｙ色度図（ＣＩＥ１９７６）に示した図面であり、図１１は図１０のＢ領域を拡大した図である。
【００５３】
光源ユニット（１５０、図１参照）は時間が経つにつれ劣化したり、輝度が減少したり、光源の温度が上がることによってその特性に影響を受けるようになる。加えて、光の色温度が変わることによって色再現範囲が影響を受けるようになる。
【００５４】
図８及び図１０は色温度の変化にともなう光源ユニットの色再現範囲を各々ＣＩＥ１９３１及びＣＩＥ１９７６基準座標系によって示したものであって、色温度の変化にともなう光源の色再現範囲を視覚的に表現したものである。ＣＩＥ１９７６座標系はＣＩＥ１９３１座標系に比べて、青色領域が強調され、それによって図１０に示された青色光の変化が図８に示された青色光の変化に比べてより一層明らかである。
【００５５】
以下に示す、［表２］は色温度変化にともなう光源ユニットの色座標をＣＩＥ１９７６座標系とＣＩＥ１９３１座標系に分けて示す。
【表２】
0005600387.tif 000003
【００５６】
［表２］を参照すると、光源ユニットは色温度によってその領域が変化し、（Ａｄｏｂｅ  ＲＧＢ）色空間とのカバー率もまた変わるようになる。［表２］に示す値から５０００〜７０００Ｋの間の値が最適の色再現範囲を有することが理解される。
【００５７】
次に、図８〜図１７を参照して、色温度の変化にともなう赤色光源チップ（ＬＭ＿Ｒ）、緑色光源チップ（ＬＭ＿Ｇ）及び青色光源チップ（ＬＭ＿Ｂ）の色座標の変化を詳細に説明する。
ここで、図１２及び図１３は色温度変化にともなう赤色光源チップの色座標の変化を示すグラフであり、図１４及び図１５は色温度変化にともなう緑色光源チップの色座標の変化を示すグラフであり、図１６及び図１７は色温度変化にともなう青色光源チップの色座標の変化を示すグラフである。
【００５８】
図１２、図１４及び図１６は色温度の変化にともなう赤色光、緑色光、青色光の色座標におけるｘ座標の動きを表わし、図１３、図１５及び図１７は色温度の変化にともなう赤色光、緑色光、青色光の色座標におけるｙ座標の動きを示す。
図８〜図１３を参照すると、色温度が増加するにともない赤色光のｘ座標及びｙ座標がすべて減少する。色温度が増加するにともない赤色光を示す三角形の頂点は左下方向に移動する。
【００５９】
一方、図８〜図１１、図１４及び図１５を参照すると、色温度が増加するにともない緑色光のｘ座標及びｙ座標がすべて減少する。色温度が増加するにともない緑色光を示す三角形の頂点は左下方向に移動する。
反面、図８〜図１１、図１６及び図１７を参照すると、色温度が増加するにともない青色光のｘ座標は増加し、ｙ座標は減少する。すなわち、色温度が増加するにともない青色光を示す三角形の頂点は右下方向に移動する。
【００６０】
赤色光、緑色光及び青色光を示す三角形の各頂点は色温度の調節によって、その座標を調節することができる。言い換えれば、白色光のｘ座標及びｙ座標の調節によって、色再現範囲のカバー率を調節することができる。
【００６１】
次に、図１８を参照し、本発明の一実施形態による光源アセンブリに関して説明する。
ここで、図１８は本発明の一実施形態による光源アセンブリを示すブロック図である。
【００６２】
本発明の一実施形態による光源アセンブリは、光源ユニット１５０、検出部４００、Ａ／Ｄ変換器５００、演算部６００、比較部７００及び制御部８００を含む。光源ユニット１５０は赤色光源チップ（ＬＭ＿Ｒ）、緑色光源チップ（ＬＭ＿Ｇ）及び青色光源チップ（ＬＭ＿Ｂ）を含む。
【００６３】
検出部４００は、光源ユニット１５０で放射される光を感知する役割をする。このような検出部４００は赤色光、緑色光及び青色光の波長を各々感知することができるように内部に赤色光センサ、緑色光センサ及び青色光センサを含み得る。
検出部４００は赤色光、緑色光及び青色光に対する波長を検出し、アナログ信号である赤色光信号、緑色光信号及び青色光信号を出力する。このような赤色光信号、緑色光信号及び青色光信号はＡ／Ｄ変換器５００に入力される。
【００６４】
Ａ／Ｄ変換器５００は、アナログ信号の赤色光信号、緑色光信号及び青色光信号をデジタル信号に変換する。このように変換された光信号は演算部６００に入力される。
【００６５】
演算部６００は、デジタル信号化された赤色光信号、緑色光信号及び青色光信号を利用し、赤色光源色座標、緑色光源色座標及び青色光源色座標を計算する。演算部６００は各光源に対するＬＵＴ（ｌｏｏｋ  ｕｐ  ｔａｂｌｅ）を利用して、各光信号に相当する光源色座標を出力することができる。このような方法で計算された各光源色座標は比較部７００に入力される。
【００６６】
比較部７００は、演算部６００で計算された赤色光源色座標、緑色光源色座標及び青色光源色座標を各々赤色基準座標、緑色基準座標及び青色基準座標と比較し、その結果値を制御部８００に出力する。比較部７００は赤色光源色座標、緑色光源色座標及び青色光源色座標が所定の基準領域内に存在しているのかどうかを判断し、基準領域から外れる場合には制御部８００によって各光源の特性を調節する。
【００６７】
ここで、各色相の基準座標とはＸＹ色座標系で表現する時、赤色基準座標は（０．６４、０．３４）であり、緑色基準座標は（０．２１、０．７１）であり、青色基準座標は（０．１５、０．０６）と設定することができ、ＵＶ色座標系で表現する時、赤色基準座標は（０．４４１、０．５２８）であり、緑色基準座標は（０．０７６、０．５７６）であり、青色基準座標は（０．１７５、０．１５８）と設定することができる。
【００６８】
制御部８００は、比較部７００から入力された結果値によって各光源チップに印加する電流を調節する。すなわち、赤色光源チップ（ＬＭ＿Ｒ）、緑色光源チップ（ＬＭ＿Ｇ）及び青色光源チップ（ＬＭ＿Ｂ）は各々赤色パルス幅変調信号（ＰＷＭ＿Ｒ）、緑色パルス幅変調信号（ＰＷＭ＿Ｇ）及び青色パルス幅変調信号（ＰＷＭ＿Ｂ）のデューティ比を調節することによって、赤色、緑色及び青色の色座標を移動させることができる。
【００６９】
赤色光源チップ（ＬＭ＿Ｒ）は電流が増加するほどピーク波長が増加する方向に移動する。すなわち、色座標上においてｘ座標は増加して、ｙ座標は減少する方向に赤色光源色座標が移動するようになる。
【００７０】
一方、緑色光源チップ（ＬＭ＿Ｇ）及び青色光源チップ（ＬＭ＿Ｂ）は電流が増加するにともない、初期にはピーク波長が小さくなる方向に移動してその後、再び増加する方向に移動する。したがって、緑色光源チップ（ＬＭ＿Ｇ）は、ｘ座標は増加してｙ座標は減少する方向に移動し、加えて、青色光源チップ（ＬＭ＿Ｂ）は、ｘ座標は減少してｙ座標は増加する方向に移動する。制御部８００は各光源チップのこのような性質を利用して制御ループを実行して最適の条件で調節する。
【００７１】
図１９及び図２０を参照して本発明の一実施形態による光源ユニットの色座標を補正する工程を詳細に説明する。ここで、図１９及び図２０は本発明の一実施形態による光源ユニットの補正工程を説明するための図である
【００７２】
色座標上に赤色基準座標（ＳＤ＿Ｒ）、緑色基準座標（ＳＤ＿Ｇ）及び青色基準座標（ＳＤ＿Ｂ）を設定し、それぞれの基準座標を連結する三角形を設定すると、三角形の内部が基準色空間となる。すなわち、本発明の一実施形態による光源ユニット１５０（図１参照）の色再現範囲は基準色空間をすべて含むように調節しなければならない。
【００７３】
三角形の各辺を延長すれば、各三角形の頂点と延長線の間の領域が形成される。このような領域は三角形の各頂点の外角に各々位置し、赤色基準座標（ＳＤ＿Ｒ）の外角に位置する領域を赤色光源領域（ＬＡ＿Ｒ）といい、緑色基準座標（ＳＤ＿Ｇ）の外角に位置する領域を緑色光源領域（ＬＡ＿Ｇ）といい、青色基準座標（ＳＤ＿Ｂ）の外角に位置する領域を青色光源領域（ＬＡ＿Ｂ）という。
【００７４】
一方、本発明の光源ユニット１５０に含まれる赤色光源チップ（ＬＭ＿Ｒ）、緑色光源チップ（ＬＭ＿Ｇ）及び青色光源チップ（ＬＭ＿Ｂ）から放射する光の座標を各々赤色光源色座標（ＬＣ＿Ｒ）、緑色光源色座標（ＬＣ＿Ｇ）および青色光源色座標（ＬＣ＿Ｂ）とする。
【００７５】
本発明の一実施形態による光源ユニット１５０の色再現範囲が基準色空間をすべて含むためには、赤色光源色座標（ＬＣ＿Ｒ）、緑色光源色座標（ＬＣ＿Ｇ）及び青色光源色座標（ＬＣ＿Ｂ）が各々赤色光源領域（ＬＡ＿Ｒ）、緑色光源領域（ＬＡ＿Ｇ）及び青色光源領域（ＬＡ＿Ｂ）内に位置しなければならない。
すなわち、赤色光源色座標（ＬＣ＿Ｒ）、緑色光源色座標（ＬＣ＿Ｇ）及び青色光源色座標（ＬＣ＿Ｂ）を三つの頂点とする三角形の内部が光源ユニット１５０の色再現範囲となり、光源ユニット１５０の色再現範囲が常に基準色空間を含むようにするために赤色光源色座標（ＬＣ＿Ｒ）、緑色光源色座標（ＬＣ＿Ｇ）及び青色光源色座標（ＬＣ＿Ｂ）を各々調節し、赤色光源領域（ＬＡ＿Ｒ）、緑色光源領域（ＬＡ＿Ｇ）及び青色光源領域（ＬＡ＿Ｂ）内に位置するように調節しなければならない。
【００７６】
各色座標が各光源領域に位置するのかどうかを判断するための具体的なアルゴリズムを説明する。
まず、色座標上に赤色基準座標（ＳＤ＿Ｒ）、緑色基準座標（ＳＤ＿Ｇ）及び青色基準座標（ＳＤ＿Ｂ）を設定し、赤色光源色座標（ＬＣ＿Ｒ）、緑色光源色座標（ＬＣ＿Ｇ）及び青色光源色座標（ＬＣ＿Ｂ）を設定する。
【００７７】
赤色基準座標（ＳＤ＿Ｒ）と緑色基準座標（ＳＤ＿Ｇ）を連結した直線の方程式を第１直線（ｐ）の方程式と呼び、赤色基準座標（ＳＤ＿Ｒ）と緑色光源色座標（ＬＣ＿Ｇ）を連結した直線の方程式を第２直線（ｑ）の方程式と呼び、赤色光源色座標（ＬＣ＿Ｒ）と緑色基準座標（ＳＤ＿Ｇ）を連結した直線の方程式を第３直線（ｒ）の方程式と呼ぶ。
【００７８】
一方、緑色基準座標（ＳＤ＿Ｇ）と青色基準座標（ＳＤ＿Ｂ）を連結した直線の方程式を第１’直線（ｐ’）の方程式と呼び、緑色基準座標（ＳＤ＿Ｇ）と青色光源色座標（ＬＣ＿Ｂ）を連結した直線の方程式を第２’直線（ｑ’）の方程式といい、緑色光源色座標（ＬＣ＿Ｇ）と青色基準座標（ＳＤ＿Ｂ）を連結した直線の方程式を第３’直線（ｒ’）の方程式という。
【００７９】
また、赤色基準座標（ＳＤ＿Ｒ）と青色基準座標（ＳＤ＿Ｂ）を連結した直線の方程式を第１’’直線（ｐ’’）の方程式と呼び、赤色基準座標（ＳＤ＿Ｒ）と青色光源色座標（ＬＣ＿Ｂ）を連結した直線の方程式を第２’’直線（ｑ’’）の方程式と呼び、赤色光源色座標（ＬＣ＿Ｒ）と青色基準座標（ＳＤ＿Ｂ）を連結した直線の方程式を第３’’直線（ｒ’’）の方程式と呼ぶ。
【００８０】
各色座標が各光源領域内に完全に位置するためには第１直線（ｐ）の方程式のｙ切片値（ａ）が第２直線（ｑ）の方程式のｙ切片値（ｂ）と第３直線（ｒ）の方程式のｙ切片値（ｃ）の間に位置しなければならず、第１’直線（ｐ’）の方程式のｙ切片値（ａ’）が第２’直線（ｑ’）の方程式のｙ切片値（ｂ’）と第３’直線（ｒ’）の方程式のｙ切片値（ｃ’）の間に位置しなければならず、第１’’直線（ｐ’’）の方程式のｙ切片値（ａ’’）が第２’’直線（ｑ’’）の方程式のｙ切片値（ｂ’’）と第３’’直線（ｒ’’）の方程式のｙ切片値（ｃ’’）の間に位置しなければならない。
【００８１】
このように各直線の方程式のｙ切片値を比較し、上記条件を満足させる方向にフィードバック制御をすれば、常に光源ユニット１５０の色再現範囲を基準色領域より大きく維持することができる。
【００８２】
一方、各光源チップが劣化したり熱による特性変化が所定のレベル以上となるにともない、自己の補正能力では最適レベルに到達しない場合が発生する可能性がある。すなわち、各光源チップに印加されるパルス幅変調信号の調節だけで所定のレベルを満足させることができない場合、無限ループによる制御を中止し、ｙ切片値に一定の許容値を設定してその範囲内に補正値が進入すれば、制御動作を終了することができる。
【００８３】
各光源チップの特性は物理的な特性であり、各色相ごとに特性が異なることもありうるので、各光源チップごとに異なるｙ切片値の許容値を設定することができる。具体的には、赤色光源チップ（ＬＭ＿Ｒ）及び緑色光源チップ（ＬＭ＿Ｇ）は最初に設定された赤色基準座標（ＳＤ＿Ｒ）と緑色基準座標（ＳＤ＿Ｇ）を基準として制御することができ、青色光源チップ（ＬＭ＿Ｂ）は別途のｙ切片値の許容値を設定して最初に設定された青色基準座標（ＳＤ＿Ｂ）を基準として制御されない場合に所定の許容値内で制御を終了することができる。
【００８４】
例をあげれば、青色光源チップ（ＬＭ＿Ｂ）の場合、前述した第１’直線（ｐ’）の方程式のｙ切片値（ａ’）又は第１’’直線（ｐ’’）の方程式のｙ切片値（ａ’’）の１５％以内の偏差内で調節することができる。具体的には、第１’直線（ｐ’）の方程式のｙ切片値をｍ、第１’’直線（ｐ’’）の方程式のｙ切片値をｍ’とすれば、それぞれのｙ切片値の許容値（ｐ）、（ｐ’）は、
ｍ−ｍ×０．１５≦（ｐ）≦ｍ＋ｍ×０．１５
ｍ’−ｍ’×０．１５≦（ｐ’）≦ｍ’＋ｍ’×０．１５
と設定することができる。
言い換えれば、第３’’直線（ｒ’’）の方程式のｙ切片値が許容値（ｐ’）内にあり、第２’直線（ｑ’）の方程式のｙ切片値が許容値（ｐ）内に存在する場合、ループを終了させることができる。
【００８５】
このような許容値は、各光源チップのコンディションにより多様に調節し得るものである。
【００８６】
尚、本発明は、上述の実施形態に限られるものではない。本発明の技術的範囲から逸脱しない範囲内で多様に変更実施することが可能である。
【産業上の利用可能性】
【００８７】
本発明の光源アセンブリは表示できる色相の領域を拡大して、自然に存在する色相とより一層近い色相を表現することができ、液晶表示装置などのディスプレイ装置だけではなく多様な装置の光源として幅広く使用することができる。
【図面の簡単な説明】
【００８８】
【図１】本発明の一実施形態による液晶表示装置の分解斜視図である。
【図２】図１の液晶表示装置に含まれる色フィルタと光源を示した概略図である。
【図３】図１の液晶表示装置の色再現範囲を示すｘｙ色度図である。
【図４】図１の液晶表示装置に含まれる色フィルタの分光特性と各色の光源チップのスペクトル特性を示す図である。
【図５】図１の液晶表示装置に含まれる光源ユニットの色再現範囲をｘｙ色度図に示した図である。
【図６】図１の液晶表示装置に含まれる色フィルタを透過した光の波長特性を示すグラフである。
【図７】図１の液晶表示装置に含まれる色フィルタを透過した光の色再現範囲をｘｙ色度図に示した図である。
【図８】色温度変化にともなう光源ユニットの色再現範囲をｘｙ色度図（ＣＩＥ１９３１）に示した図である。
【図９】図８のＡ領域を拡大した図である。
【図１０】色温度変化にともなう光源ユニットの色再現範囲をｘｙ色度図（ＣＩＥ  １９７６）に示した図である。
【図１１】図１０のＢ領域を拡大した図である。
【図１２】色温度変化にともなう赤色光源チップの色座標の変化を示すグラフである。
【図１３】色温度変化にともなう赤色光源チップの色座標の変化を示すグラフである。
【図１４】色温度変化にともなう緑色光源チップの色座標の変化を示すグラフである。
【図１５】色温度変化にともなう緑色光源チップの色座標の変化を示すグラフである。
【図１６】色温度変化にともなう青色光源チップの色座標の変化を示すグラフである。
【図１７】色温度変化にともなう青色光源チップの色座標の変化を示すグラフである。
【図１８】本発明の一実施形態による光源アセンブリを示すブロック図である。
【図１９】本発明の一実施形態による光源ユニットの補正工程を説明するための図である。
【図２０】本発明の一実施形態による光源ユニットの補正工程を説明するための図である。
【符号の説明】
【００８９】
１        液晶表示装置
１０        バックライトアセンブリ
２０        上部収納容器
３０        液晶パネルアセンブリ
３１        液晶パネル
１００      光源アセンブリ
１１０      中間フレーム
１２０      光学シート
１３０      拡散板
１４０      反射シート
１４１      開口部
１５０      光源ユニット
１６０      回路基板
１７０      下部収納容器
３００      色フィルタ
４００      検出部
５００      Ａ／Ｄ変換器
６００      演算部
７００      比較部
８００      制御部
【図１】
0005600387.tif 000004
【図２】
0005600387.tif 000005
【図３】
0005600387.tif 000006
【図４】
0005600387.tif 000007
【図５】
0005600387.tif 000008
【図６】
0005600387.tif 000009
【図７】
0005600387.tif 000010
【図８】
0005600387.tif 000011
【図９】
0005600387.tif 000012
【図１０】
0005600387.tif 000013
【図１１】
0005600387.tif 000014
【図１２】
0005600387.tif 000015
【図１３】
0005600387.tif 000016
【図１４】
0005600387.tif 000017
【図１５】
0005600387.tif 000018
【図１６】
0005600387.tif 000019
【図１７】
0005600387.tif 000020
【図１８】
0005600387.tif 000021
【図１９】
0005600387.tif 000022
【図２０】
0005600387.tif 000023